【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
分散コンピュータシステムであって、
ネットワークインターフェースと、
データベースと、
前記ネットワークインターフェースを介して雇用者コンピュータシステムおよび人材派遣会社コンピュータシステムに結合されている交換構成要素とを備え、
前記交換構成要素は、
前記ネットワークインターフェースを介して前記雇用者コンピュータシステムからの求人にアクセスし、
前記ネットワークインターフェースを介して前記人材派遣会社コンピュータシステムからの前記求人に対する志望者の提出にアクセスし、
前記雇用者コンピュータシステムと前記人材派遣会社コンピュータシステムとの間で前記求人に対して前記志望者の紹介を同期させるよう構成され、前記交換構成要素はさらに、
前記ネットワークインターフェースを介して、前記雇用者コンピュータシステムから、前記志望者が前記求人に雇用されたという第１の指示を受信し、
前記雇用者コンピュータシステムからの前記志望者が雇用されたという前記第１の指示の受信に応答して、前記ネットワークインターフェースを介して、前記志望者が雇用されたという第２の指示を前記人材派遣会社コンピュータシステムに送信するよう構成され、前記第２の指示の送信は前記人材派遣会社コンピュータシステムにおいて前記志望者のステータスの更新を引き起こし、前記交換構成要素はさらに、
前記ネットワークインターフェースを介して、前記雇用者コンピュータシステムから前記求人への前記志望者の紹介が完了したという第３の指示を受信し、
前記志望者の前記紹介が完了したという前記第３の指示の受信に応答して、
前記データベース内に、前記雇用された志望者に関連付けられた労働者のレコードを記憶し、
前記データベース内に、前記雇用者コンピュータシステムのユーザに関連付けられた承認者のレコードを記憶するように構成され、
前記交換構成要素は、さらに、前記ネットワークインターフェースを介して、前記労働者に関連付けられるコンピュータシステムと前記承認者に関連付けられるコンピュータシステムとに結合され、前記交換構成要素はさらに、
前記ネットワークインターフェースを介して、前記労働者に関連付けられるコンピュータシステムから前記労働者に関連付けられるタイムシートデータを受信し、
前記ネットワークインターフェースを介して、前記承認者に関連付けられるコンピュータシステムに前記タイムシートデータを送信するように構成される、分散コンピュータシステム。
【請求項２】
前記交換構成要素は、前記雇用者コンピュータシステムによって使用される応募者追跡システム（ＡＴＳ）内の前記志望者と関連付けられるステータスが雇用済みに変化していることに応答して、前記志望者が前記求人に対して雇用されたという前記第１の指示を受信するようにさらに構成される、請求項１に記載の分散コンピュータシステム。
【請求項３】
前記タイムシートデータは、クライアントシステムからの提出されたタイムシートの指示を含む、請求項１に記載の分散コンピュータシステム。
【請求項４】
前記交換構成要素は、前記提出されたタイムシートの指示を前記承認者に関係付けられるコンピュータシステムに送信するようにさらに構成される、請求項３に記載の分散コンピュータシステム。
【請求項５】
前記交換構成要素は、
前記承認者による前記タイムシートの承認の指示を前記承認者に関連付けられるコンピュータシステムから受信し、
前記承認されたタイムシートを前記データベースに記憶するようにさらに構成される、請求項３に記載の分散コンピュータシステム。
【請求項６】
前記交換構成要素は、
前記ネットワークインターフェースを介して、前記承認者に関連付けられるコンピュータシステムから、前記承認者による前記タイムシートの拒絶の指示を受信し、
前記ネットワークインターフェースを介して、前記労働者に関連付けられるコンピュータシステムに、前記拒絶されたタイムシートの指示を送信するようにさらに構成される、請求項３に記載の分散コンピュータシステム。
【請求項７】
前記交換構成要素は、前記提出されたタイムシートに基づいて請求書を生成するようにさらに構成される、請求項３に記載の分散コンピュータシステム。
【請求項８】
前記交換構成要素は、前記ネットワークインターフェースを介して、前記雇用者コンピュータシステムによって使用される自動支払いシステムに前記請求書を送信するようにさらに構成される、請求項７に記載の分散コンピュータシステム。
【請求項９】
前記交換構成要素は、
前記ネットワークインターフェースを介して、前記請求書の送信に応答して前記雇用者コンピュータシステムから支払いを受け取り、
前記ネットワークインターフェースを介して、前記人材派遣会社コンピュータシステムに関連付けられている人材派遣会社の口座に送金するようにさらに構成される、請求項８に記載の分散コンピュータシステム。
【請求項１０】
雇用者コンピュータシステムと人材派遣会社コンピュータシステムとを統合するコンピュータによって実施される方法であって、
ネットワークインターフェースを介して前記雇用者コンピュータシステムからの求人にアクセスすることと、
前記ネットワークインターフェースを介して前記人材派遣会社コンピュータシステムからの前記求人に対する志望者の提出にアクセスすることと、
前記雇用者コンピュータシステムと前記人材派遣会社コンピュータシステムとの間で前記求人に対して前記志望者の紹介を同期させることとを含み、前記同期させることは、
前記ネットワークインターフェースを介して、前記雇用者コンピュータシステムから、志望者が前記求人に雇用されたという第１の指示を受信することと、
前記雇用者コンピュータシステムからの前記志望者が雇用されたという前記第１の指示の受信に応答して、前記ネットワークインターフェースを介して、前記志望者が雇用されたという第２の指示を前記人材派遣会社コンピュータシステムに送信することとを含み、前記第２の指示の送信は前記人材派遣会社コンピュータシステムにおいて前記志望者のステータスの更新を引き起こし、前記同期させることはさらに、
前記ネットワークインターフェースを介して、前記雇用者コンピュータシステムから前記求人への前記志望者の紹介が完了したという第３の指示を受信することと、
前記志望者の前記紹介が完了したという前記指示の受信に応答して、
データベース内に、前記雇用された志望者に関連付けられた労働者のレコードを記憶することと、
前記データベース内に、前記雇用者コンピュータシステムのユーザに関連付けられた承認者のレコードを記憶することとを含み、前記方法はさらに、
前記ネットワークインターフェースを介して、前記労働者に関連付けられるコンピュータシステムから前記労働者に関連付けられるタイムシートデータを受信することと、
前記ネットワークインターフェースを介して、前記承認者に関連付けられるコンピュータシステムに前記タイムシートデータを送信することとを含む、方法。
【請求項１１】
前記タイムシートデータを受信することは、前記ネットワークインターフェースを介して、前記労働者に関連付けられるコンピュータシステムから、提出されたタイムシートの指示を受信することを含む、請求項１０に記載の方法。
【請求項１２】
前記タイムシートデータを送信することは、前記ネットワークインターフェースを介して、前記提出されたタイムシートの指示を前記承認者に関連付けられるコンピュータシステムに送信することを含む、請求項１１に記載の方法。
【請求項１３】
前記ネットワークインターフェースを介して、前記承認者に関連付けられるコンピュータシステムから、前記承認者による前記タイムシートの承認の指示を受信することと、
前記承認されたタイムシートを前記データベース内に記憶することとをさらに含む、請求項１１に記載の方法。
【請求項１４】
前記ネットワークインターフェースを介して、前記承認者に関連付けられるコンピュータシステムから、前記タイムシートの拒絶の指示を受信することと、
前記ネットワークインターフェースを介して、前記雇用者に関連付けられるコンピュータシステムに、前記拒絶されたタイムシートの指示を送信することとをさらに含む、請求項１１に記載の方法。
【請求項１５】
前記提出されたタイムシートに基づいて請求書を生成することをさらに含む、請求項１０に記載の方法。
【請求項１６】
前記ネットワークインターフェースを介して、前記雇用者コンピュータシステムによって使用される自動支払いシステムに前記請求書を送信することをさらに含む、請求項１５に記載の方法。
【請求項１７】
前記ネットワークインターフェースを介して、前記請求書の送信に応答して前記雇用者コンピュータシステムから支払いを受信することと、
前記ネットワークインターフェースを介して、前記人材派遣会社コンピュータシステムに関連付けられている人材派遣会社の口座に送金することとをさらに含む、請求項１６に記載の方法。
【請求項１８】
コンピュータシステム上で実行するための命令を含むコンピュータ可読プログラムであって、前記命令は、実行されると、方法を実施し、前記方法は、
ネットワークインターフェースを介して雇用者コンピュータシステムからの求人にアクセスすることと、
前記ネットワークインターフェースを介して人材派遣会社コンピュータシステムからの前記求人に対する志望者の提出にアクセスすることと、
前記雇用者コンピュータシステムと前記人材派遣会社コンピュータシステムとの間で前記求人に対して前記志望者の紹介を同期させることとを含み、前記同期させることは、
前記ネットワークインターフェースを介して、前記雇用者コンピュータシステムから、志望者が前記求人に雇用されたという第１の指示を受信することと、
前記雇用者コンピュータシステムからの前記志望者が雇用されたという前記第１の指示の受信に応答して、前記ネットワークインターフェースを介して、前記志望者が雇用されたという第２の指示を前記人材派遣会社コンピュータシステムに送信することとを含み、前記第２の指示の送信は前記人材派遣会社コンピュータシステムにおいて前記志望者のステータスの更新を引き起こし、前記同期させることはさらに、
前記ネットワークインターフェースを介して、前記雇用者コンピュータシステムから前記求人への前記志望者の紹介が完了したという第３の指示を受信することと、
前記志望者の前記紹介が完了したという前記指示の受信に応答して、
データベース内に、前記雇用された志望者に関連付けられた労働者のレコードを記憶することと、
前記データベース内に、前記雇用者コンピュータシステムのユーザに関連付けられた承認者のレコードを記憶することとを含み、前記方法はさらに、
前記ネットワークインターフェースを介して、前記労働者に関連付けられるコンピュータシステムから前記労働者に関連付けられるタイムシートデータを受信することと、
前記ネットワークインターフェースを介して、前記承認者に関連付けられるコンピュータシステムに前記タイムシートデータを送信することとを含む、コンピュータ可読プログラム。
【請求項１９】
前記タイムシートデータを受信することは、前記ネットワークインターフェースを介して、前記労働者に関連付けられるコンピュータシステムから、提出されたタイムシートの指示を受信することを含む、請求項１８に記載のコンピュータ可読プログラム。